Podtech/llm-jp-corpus-v4-ja_patent huggingface dataset:
【手続補正書】
【提出日】平成20年12月29日(2008.12.29)
【手続補正１】
【補正対象書類名】特許請求の範囲
【補正対象項目名】全文
【補正方法】変更
【補正の内容】
【特許請求の範囲】
【請求項１】
全ての予約の解答の集合体が作成され、予約の解答は時間帯であり、その上では現在の全ての制約に適合し、又、その上では必要な資源が利用可能であること、
表示された第一の時刻の線、その上では少なくともひとつの予約の解答を含む時間帯が示され、前記表示された時間帯をユーザーが選択可能であること、
表示され、可能性がある解答の配置が、前記時間帯のひとつをユーザーが選択したことに応答して、第二の時刻の線がその選択された時間帯を囲む期間を拡大するように表示し、その中で予約の解答が表示され、そのユーザーにより選択できること、
を特徴とする予約登録システムのためのユーザー・インターフェース。
【請求項２】
前記事前設定された期間が１日であることを特徴とする請求項１に記載のユーザー・インターフェース。
【請求項３】
前記事前設定された期間が１日の一部であること、及び、その日の他の部分に関連する期間を表示するために滑動手段が提供され、その起動によりユーザーが滑動できことを特徴とする請求項１に記載のユーザー・インターフェース。
【請求項４】
前記第一の時刻の線上にいくつかの時刻が表示され、その場合、可能な解答が強調表示されることを特徴とする請求項１に記載のユーザー・インターフェース。
【請求項５】
前記第二の時刻の線上にいくつかの時刻が表示され、その場合、可能な解答が強調表示されることを特徴とする請求項１に記載のユーザー・インターフェース。
【請求項６】
前記時刻が等距離になっていることを特徴とする請求項１〜５のいずれか１に記載のユーザー・インターフェース。
【請求項７】
前記時刻が時間帯の出発点であり、その中で、予約を登録できることを特徴とする請求項１〜６のいずれか１に基づく記載のユーザー・インターフェース。
【請求項８】
前記時刻の間の距離をユーザーにより設定できることを特徴とする請求項１〜７のいずれか１に記載のユーザー・インターフェース。
【請求項９】
前記第二の時刻の線が前記第一の時刻の線と並行に表示されることを特徴とする請求項１〜８のいずれか１に記載のユーザー・インターフェース。
【請求項１０】
表示された解答の選択時にいくつかの対応する資源の組合わせ及び／又は予約の期間を表示することを特徴とする請求項１〜９のいずれか１に記載のユーザー・インターフェース。
【手続補正２】
【補正対象書類名】明細書
【補正対象項目名】００１２
【補正方法】変更
【補正の内容】
【００１２】
特許文献１は作業上の制約と利用可能性の優先基準に基づく予約登録システムを開示している。
【手続補正３】
【補正対象書類名】明細書
【補正対象項目名】００１３
【補正方法】変更
【補正の内容】
【００１３】
特許文献2では、マウス(mouse)のような入力手段を持つスクリーン(screen)上のセグメントを描画することによりデータ入力を行うユーザ・インターフェースを開示していて、セグメント編集機能が、マウスにより指定された長さに基づきセグメントを表示する。
【手続補正４】
【補正対象書類名】明細書
【補正対象項目名】００１４
【補正方法】変更
【補正の内容】
【００１４】
特許文献３では、微細な解像度を有するデータ・フィールド(data field)を評価するための方法を開示していて、拡大縮小可能なスクロール・コントローラー(scroll controller)が、データ・フィールド内のデータを評価するための倍率制御用倍率修正のために目盛コントローラーを有している。
【手続補正５】
【補正対象書類名】明細書
【補正対象項目名】００１５
【補正方法】変更
【補正の内容】
【００１５】
非特許文献２では表示された情報の解像度を高めるために視覚的カレンダーの事象の詳細をズーミング(zooming)するための技術を開示している。他の手段と共に時刻の目盛のズーミングを行なえる。
【手続補正６】
【補正対象書類名】明細書
【補正対象項目名】００１６
【補正方法】変更
【補正の内容】
【００１６】
従来技術の解答と比較して最適化された方法で、一定期間内に、例えば、１日以内に予約の解答を示している予約登録システムのためのユーザー・インターフェースを提供することが本発明の一側面である。
【手続補正７】
【補正対象書類名】明細書
【補正対象項目名】００１７
【補正方法】変更
【補正の内容】
【００１７】
【特許文献１】米国特許出願第2005/004815A1号明細書
【特許文献２】米国特許第5,860,067号明細書
【特許文献３】米国特許第2003/016248A1号明細書
【特許文献４】Method for procesing linked lists of time segments：本出願書と同時提出
【非特許文献１】QPlanner sold by Agfa-Gevaert N.V.
【非特許文献２】"Zooming on visual calendar data" published anonymously in Research Disclosure, Kenneth Mason Publications, Westbourne, GB, Vol.329, No.19, September, 1991
【手続補正書】
【提出日】平成21年3月5日(2009.3.5)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
（１）少なくとも１個所の入力ポイントから出発して終了ポイントで終わる一連のステップとしてプロセスを形成するステップ、
（２）１のステップから他のステップへ許容できる移行を形成するステップ、
（３）ユーザーが選択できる項目としてスクリーン上に前記入力ポイントを表示するステップ、
（４）入力ポイントの選択時点で、第一ウインドウを表示し、前記第一ウインドウがステップ（１）に関するいくつかの処置から成るステップ、
（５）前記処置の完了時点で次のステップを表示し、選択可能な項目として、許容できる移行により形成されるステップ、
（６）許容できる移行として形成された前記ステップのひとつを選択する際に、選択されたステップに関する処置から成るウインドウを表示するステップ、
（７）前記処置を完了するステップ、
（８）前記終了ポイントに達するまで前記ステップ（５）〜（７）を反復するステップ、
から成る医療プロセスのためのワークフローの方法。
【請求項２】
移行が、初期設定としての移行、オプションの移行、条件による移行のひとつであることを特徴とする請求項１に基づくワークフローの方法。
【請求項３】
前記プロセスが予約の登録プロセスであることを特徴とする前記請求項のいずれかに基づくワークフローの方法。
【請求項４】
（１）医療プロセスの入力ポイントを選択し、スクリーン上に表示するための第一のユーザーが選択できる項目、
（２）入力ポイントの選択の際に前記スクリーン上に表示される第一ウインドウであって、プロセスの第一ステップに関するいくつかの処置から成ってる第一ウインドウ、
（３）前記処置の（ひとつの）完了時に前記スクリーン上に表示される第二のユーザーが選択できる項目であって、許容できる移行として定義される前記手順の次のステップに関連している項目、
（４）許容できる移行として定義できるステップのひとつの選択時に表示される第二ウインドウであって、プロセスの選択されたステップに関する処置から成っていて、それにより項目（１）から（４）が、前記プロセスの終了ポイントに達するまで、上記（１）〜（
４）が順次に表示される第二ウインドウ、
から成る、医療プロセス内にワークフローを生じるためのユーザー・インターフェース。
【請求項５】
移行が、初期設定としての移行、オプションの移行、条件による移行のひとつであることを特徴とする請求項４に基づくユーザー・インターフェース。
【請求項６】
前記プロセスが予約の登録プロセスであることを特徴とする請求項４又は５に基づくユーザー・インターフェース。
【請求項７】
コンピューター上で実行するとき、請求項１乃至３のいずれか１の方法を実行するのに適したコンピューター・プログラム製品。
【請求項８】
請求項１〜３のいずれか１のステップを実行するのに適したコンピューターで実行できるプログラム・コードから成るコンピューターで読み出せる媒体。
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
双方向メディアガイダンスアプリケーション（ＩＭＧＡ）を使用してプレイリストトランスポートバーを表示するための方法であって、
前記方法は、
プレイリストのためのプレイリストトランスポートバーを表示することを含み、
前記プレイリストトランスポートバーは、
複数のアセット領域であって、各アセット領域が前記プレイリスト内の１つのアセットに対応する、複数のアセット領域と、
前記プレイリスト内の再生位置の指示を提供する位置指示領域と
を備える、方法。
【請求項２】
前記位置指示領域は、前記プレイリスト内の前記再生位置と前記プレイリスト内の前記複数のアセットのうちの１つとを示す、請求項１に記載の方法。
【請求項３】
前記位置指示領域は、再生情報領域を備える、請求項１に記載の方法。
【請求項４】
前記位置指示領域の移動先の位置から前記プレイリスト内のアセットを再生することをさらに含む、請求項１に記載の方法。
【請求項５】
前記プレイリストトランスポートバー内に表示される前記複数のアセット領域は、前記プレイリスト内の各アセットのためのアセット領域を含む、請求項１に記載の方法。
【請求項６】
前記プレイリストトランスポートは、前記プレイリスト内の全てのアセットの合計再生時間の一部を表示し、前記プレイリストトランスポートバーは、前記プレイリスト内の少なくとも２つのアセットのためのアセット領域を含む、請求項１に記載の方法。
【請求項７】
前記表示されたアセット領域のうちの少なくとも１つは、前記表示されたアセット領域に対応するアセットのランレングスを表す、請求項６に記載の方法。
【請求項８】
前記プレイリストトランスポートバーは、現在再生されているアセットの一部をオーバーレイするオーバーレイとして表示される、請求項１に記載の方法。
【請求項９】
プレイリストトランスポートバーを表示するためのシステムであって、
前記システムは、プレイリストトランスポートバーを表示するように作用し、
前記トランスポートバーは、
複数のアセット領域であって、各アセット領域がプレイリスト内の１つのアセットに対応する、複数のアセット領域と、
前記プレイリスト内の再生位置の指示を提供する位置指示領域と
を備える、システム。
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
複数のタイトルを含むＡＶデータに関連付けられたソフトウエア・アプリケーションのライフタイムを判定する方法であって、
第１の記録媒体から読み出された第１のタイトルの選択を検出するステップと、
前記第１の記録媒体上で前記第１のタイトルに関連付けられた第１のアプリケーションと前記第１のアプリケーションに関連するインジケーションを検出するステップと、
前記第１のタイトルを再生し、前記第１のアプリケーションを実行するステップと、
前記第１のタイトルが終了すると、前記インジケーションが第１の値を有する場合に前記第１のアプリケーションを終了し、第１の値を有さない場合に前記第１のアプリケーションを継続するステップと、
前記第１の記録媒体の取り出しがあったとき、前記インジケーションが前記第１の値とは異なる特定の値を有する場合に前記第１のアプリケーションを終了し、前記第１の値とは異なる特定の値を有さない場合に前記第１のアプリケーションを継続するステップと、
第２の記録媒体の挿入を検出するステップと、
前記第２の記録媒体からデータを取得するステップと、
前記第２の記録媒体から取得したデータが特定の値を有する場合に前記第１のアプリケーションを継続し、前記第２の記録媒体から取得したデータが特定の値を有さない場合に前記第１のアプリケーションを終了するステップと、
を含む前記方法。
【請求項２】
前記第１のアプリケーションが第１のアプリケーション識別子を有し、
前記第２の記録媒体の第２のタイトルから第２のアプリケーション識別子を読み出すステップと、
前記第１のアプリケーション識別子と前記第２のアプリケーション識別子を比較するステップと、
双方の比較された識別子が同じ場合に前記第１のアプリケーションを継続するステップと、
をさらに含む請求項１に記載の方法。
【請求項３】
実行している前記第１のアプリケーションから値を受信し、当該値を格納するステップと、
前記第２の記録媒体の前記挿入があったとき、前記第２の記録媒体から第２の識別子を読み出すステップと、
前記格納された値と前記第２の識別子を比較するステップと、
前記格納された値と前記第２の識別子とが同じ場合に前記第１のアプリケーションを継続するステップと、
をさらに含む、請求項１または２に記載の方法。
【請求項４】
前記第１のアプリケーションが関連付けられた署名を有し、当該署名が前記第２の記録媒体から取得された署名と照合され、前記第１のアプリケーションの継続は、双方の署名が一致する場合にのみ行われる、請求項２または３に記載の方法。
【請求項５】
前記第１の記録媒体の取り出しがあったときの前記アプリケーションの実行を継続するさらなる条件は、前記アプリケーションが既に次の媒体をリクエストしていることであり、当該リクエストが、識別子を格納し、ユーザに対してメッセージを表示することを含む、請求項１〜４のいずれか１項に記載の方法。
【請求項６】
複数のタイトルを含むＡＶデータに関連付けられたソフトウエア・アプリケーションのライフタイムを判定する装置であって、
スクリプト・コードまたは実行可能なコードを実行する処理ユニットと、
第１の記録媒体から読み出された第１のタイトルの選択を検出する手段と、
前記第１の記録媒体上で第１のタイトルに関連付けられた第１のアプリケーションと前記第１のアプリケーションに関連するインジケーションを検出する手段と、
前記第１のタイトルを再生する手段と、
前記第１のアプリケーションを実行する手段と、
前記第１のタイトルが終了すると、前記インジケーションが第１の値を有する場合に前記第１のアプリケーションを終了し、第１の値を有さない場合には前記第１のアプリケーションを継続する手段と、
前記第１の記録媒体の取り出しがあったとき、前記インジケーションが前記第１の値とは異なる特定の値を有する場合に前記第１のアプリケーションを終了し、前記第１の値とは異なる特定の値を有さない場合には前記第１のアプリケーションを継続する手段と、
第２の記録媒体の挿入を検出する手段と、
前記第２の記録媒体からデータを取得する手段と、
前記第２の記録媒体から取得したデータが特定の値を有する場合、前記第１のアプリケーションを継続し、前記第２の記録媒体から取得したデータが特定の値を有さない場合、前記アプリケーションを終了する手段と、
を含む前記装置。
【請求項７】
前記第２の記録媒体の第２のタイトルから第２のアプリケーション識別子を読み出す手段と、
前記第１のアプリケーション識別子と前記第２のアプリケーション識別子とを比較する手段と、
双方の比較された識別子が同じ場合に前記第１のアプリケーションを継続する手段と、
をさらに含む請求項６に記載の装置。
【請求項８】
実行している前記第１のアプリケーションから値を受信する手段と、
前記値を格納する手段と、
前記第２の記録媒体の挿入があったとき、前記第２の記録媒体から第２の識別子を読み出す手段と、
前記格納された値と前記第２の識別子を比較する手段と、
前記格納された値と前記第２の識別子とが同じ場合に前記第１のアプリケーションを継続する手段と、
をさらに含む請求項６または７に記載の装置。
【請求項９】
複数のタイトルおよび当該タイトルに関連するソフトウエア・アプリケーション・データのためのデータ構造を含む光記録媒体であって、
１つ以上の前記ソフトウエア・アプリケーション・データは、関連するインジケーションを有し、当該インジケーションは、関連するタイトルが終了すると、アプリケーションが終了するかどうか、さらに、当該光記録媒体の取り出しがあったときに前記アプリケーションが終了するかどうかを示す、光記録媒体。
【請求項１０】
前記ソフトウエア・アプリケーション・データは、予期される次の光記録媒体の識別子としてのインジケーションをさらに含む請求項９に記載の光記録媒体。
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
異常な雰囲気状態を検出して応答する電子若しくは電子機械モジュールを収容するための埋設型組立体であって、
壁、仕切り又は天井の如き構造部材の開口内に設置され、開放された外面及び内壁で前記モジュールを受け入れる寸法を備えた浅い空洞を規定する周側壁を含むベース、
前記構造部材に埋設するために前記ベースの前記周側壁から伸びる、横方向外側に突出するフランジ、
前記ベースの空洞の前記外面のための閉鎖板であって、前記ベースの前記浅い空洞に雰囲気が流入し前記モジュールに接触することを許容するため、前記閉鎖板の周縁と前記ベースの周壁との間に狭小な隙間を残して前記ベースの空洞の前記開口した外面を閉鎖する周縁寸法を備えた閉鎖板、
前記ベース内に配置された前記モジュール、
前記モジュールを前記ベース内で支持するための手段、並びに
前記閉鎖板を前記ベースに取り付けるための分離可能に係合可能な部材、
を含むことを特徴とする埋設型組立体。
【請求項２】
前記ベースを受け入れるとともに支持する配線接続箱を含むことを特徴とする請求項１記載の埋設型組立体。
【請求項３】
前記配線接続箱へ導く通路が前記ベースの前記内壁に形成されていることを特徴とする請求項２記載の埋設型組立体。
【請求項４】
孔が前記ベースの横方向外側に突出するフランジに形成されていることを特徴とする請求項１記載の埋設型組立体。
【請求項５】
前記モジュールがフレーム内に固定されているとともに、該フレームが前記ベース内で支持されていることを特徴とする請求項１記載の埋設型組立体。
【請求項６】
前記ベースがその内壁と段差を有する座部を備えているとともに、前記配線接続箱は、前記配線接続箱内で前記ベースを支持するための前記座部に係合する取付具を備えていることを特徴とする請求項２記載の埋設型組立体。
【請求項７】
前記モジュールは回路基板を含み、前記フレームは前方部及び後方部で形成され、さらに、該両部はその間に前記回路基板を固定することを特徴とする請求項５の埋設型組立体。
【請求項８】
前記閉鎖板の周縁が前記ベースの周壁の外側に配置されていることを特徴とする請求項１記載の埋設型組立体。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
時間的に順序付けされた画像の既存のデータベースに複数の新たな画像を合成する方法であって、前記データベースの画像は、時間差閾値に基づきイベントグループに分類され、イベントグループ内では、類似度に基づきイベントサブグループに分類され、
当該方法は、
前記新たな画像のそれぞれの１以上の画像特徴を評価するステップと、
前記画像特徴に基づき、前記新たな画像をクラスタに順序付けするステップと、
前記クラスタのそれぞれにおいて代表画像を選択するステップと、
前記新たな画像に時間的に重複する前記データベースの画像のセグメントを指定するステップと、
前記セグメントにおいて、抽出された画像セットを提供するため、前記代表画像のそれぞれに類似する前記データベースの画像の１以上のセットを特定するステップと、
一致したサブグループを提供するため、前記抽出された画像の１以上を含む異なるイベントサブグループを前記クラスタのそれぞれに関連付けるステップと、
前記各クラスタに係る一致したサブグループに前記新たな画像を割り当てるステップと、
を有する方法。
【請求項２】
時間的に順序付けされた画像の既存のデータベースに複数の新たな画像を合成する方法であって、前記データベースの画像は、時間差閾値に基づきイベントグループに分類され、イベントグループ内では、類似度に基づきイベントサブグループに分類され、
当該方法は、
前記新たな画像のそれぞれの１以上の画像特徴を決定するステップと、
前記新たな画像の時間的順序を確認するステップと、
前記画像特徴に基づき、前記新たな画像をクラスタに順序付けするステップと、
前記クラスタのそれぞれにおける代表画像を選択するステップと、
前記新たな画像に時間的に重複する前記データベースの画像のセグメントを指定するステップと、
前記セグメントにおいて、抽出された画像セットを提供するため、前記代表画像のそれぞれに類似する前記データベースの画像の１以上のセットを特定するステップと、
一致したサブグループを提供するため、前記抽出された画像の１以上を含む異なるイベントサブグループを前記クラスタのそれぞれに関連付けるステップと、
前記各クラスタに係る一致したサブグループに前記新たな画像を割り当てるステップと、
前記割当て中に、前記新たな画像の時間的順序を維持するステップと、
を有する方法。
【請求項３】
時間的に順序付けされた画像の既存のデータベースに複数の新たな画像を合成するシステムであって、前記データベースの画像は、時間差閾値に基づきイベントグループに分類され、イベントグループ内では、類似度に基づきイベントサブグループに分類され、
当該システムは、
前記新たな画像のそれぞれの１以上の画像特徴を決定する手段と、
前記新たな画像の時間的順序を確認する手段と、
前記画像特徴に基づき、前記新たな画像をクラスタに順序付けする手段と、
前記クラスタのそれぞれにおける代表画像を選択する手段と、
前記新たな画像に時間的に重複する前記データベースの画像のセグメントを指定する手段と、
前記セグメントにおいて、抽出された画像セットを提供するため、前記代表画像のそれぞれに類似する前記データベースの画像の１以上のセットを特定する手段と、
一致したサブグループを提供するため、前記抽出された画像の１以上を含む異なるイベントサブグループを前記クラスタのそれぞれに関連付ける手段と、
前記新たな画像の時間的順序を維持しながら、前記各クラスタに係る一致したサブグループに前記新たな画像を割り当てる手段と、
を有するシステム。
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
光ディスクドライブシステム内において、ディスクの心振れを制御する装置であって、
回転軸を規定する回転支持部であって、前記ディスクの法線が前記回転軸に対して実質的に平行になるように、該ディスクを保持する回転支持部と、
前記ディスクを傾けるように構成された傾き手段と、
前記ディスクからの情報の読出しまたは前記ディスクへの情報の書込みのため、光ディスクドライブに配された光ピックアップユニットであって、近接場レンズ構成を有する光ピックアップユニットと、
前記ディスクの前記心振れを最小化するよう前記ディスクの前記法線を調整するため、制御信号によって前記傾き手段を制御する制御手段とを備え、
前記制御信号が、前記ドライブシステム内に追加的に存在する遠隔場レンズ構成から導き出される信号であることを特徴とする装置。
【請求項２】
前記制御信号が、前記遠隔場レンズ構成の焦点誤差に関連付けられた焦点制御信号から導出される信号であることを特徴とする請求項１記載の装置。
【請求項３】
前記遠隔場レンズ構成のための焦点サーボと焦点アクチュエータとを、さらに備えていることを特徴とする請求項２記載の装置。
【請求項４】
前記制御信号が、ＤＣ成分とＡＣ成分とを有する信号であり、
前記ＡＣ成分が、前記ディスクの回転速度に対応する周期性と、前記遠隔場レンズ構成と前記ディスクとの間の距離に関連付けられた振幅とを有し、
前記制御手段が、前記振幅を最小化するように、前記傾き手段を第１の方向および第２の方向に制御するものであることを特徴とする請求項１から３いずれか１項記載の装置。
【請求項５】
前記制御手段が、前記振幅を最小化するように前記傾き手段をＸ方向に制御し、続いて前記振幅をさらに最小化するように前記傾き手段をＹ方向に制御し、オプションとしてこの手順を繰り返すものであることを特徴とする請求項４記載の装置。
【請求項６】
光ディスクドライブシステム内において、ディスクの心振れを制御する方法であって、
前記ドライブシステムが、
回転軸を規定する回転支持部であって、前記ディスクの法線が前記回転軸に対して実質的に平行になるように、該ディスクを保持する回転支持部と、
前記ディスクを傾けるように構成された傾き手段と、
前記ディスクからの情報の読出しまたは前記ディスクへの情報の書込みのため、光ディスクドライブに配された光ピックアップユニットであって、近接場レンズ構成を有する光ピックアップユニットとを備え、
当該方法が、
前記ドライブシステム内に追加的に存在する遠隔場レンズ構成から、制御信号を導き出す工程と、
前記ディスクの前記心振れを最小化するよう前記ディスクの前記法線を調整するため、前記制御信号を、前記傾き手段に供給する工程とを含むことを特徴とする方法。
【請求項７】
光ビームが前記遠隔場レンズ構成を介して前記ディスク上に合焦させられ、前記遠隔場レンズ構成の焦点誤差から焦点制御信号が導出され、前記制御信号が、前記焦点制御信号から導出されることを特徴とする請求項６記載の方法。
【請求項８】
前記焦点制御信号が、焦点サーボにより生成され、さらに前記遠隔場レンズ構成のための焦点アクチュエータにも入力されることを特徴とする請求項７記載の方法。
【請求項９】
前記制御信号が、ＤＣ成分とＡＣ成分とを有する信号であり、
前記ＡＣ成分が、前記ディスクの回転速度に対応する周期性と、前記遠隔場レンズ構成と前記ディスクとの間の距離に関連付けられた振幅とを有し、
当該方法が、前記振幅を最小化するように、前記傾き手段を第１の方向および第２の方向に制御する工程をさらに含むことを特徴とする請求項６から８いずれか１項記載の方法。
【請求項１０】
前記傾き手段が前記振幅を最小化するようにＸ方向に制御され、該傾き手段が前記振幅をさらに最小化するようにＹ方向に制御され、オプションとしてこの手順が繰り返されることを特徴とする請求項９記載の方法。
【請求項１１】
請求項１から５いずれか１項記載の装置を含む光走査システム。
【請求項１２】
請求項６から１０いずれか１項記載の方法を使用するように適合化された光走査システム。
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
ディジタル装置における再生リストを作成する方法であって、
前記ディジタル装置に関連付けられた複数のディジタル・プログラムを記憶するステップであって、各ディジタル・プログラムは、それぞれの複数の整理パラメータに関連付けられ、前記複数のディジタル・プログラムは、前記整理パラメータに基づいて階層型グループにグループ化されている、前記記憶するステップと、
前記ディジタル・プログラムのうちの特定のものを選択するためのナビゲーション入力を含むユーザー入力に応答して、前記ディジタル・プログラムのうちの特定のものを取得し、再生するステップと、
ダイナミック・シャッフル・モードのユーザー選択に応答してダイナミック・シャッフル再生リストを作成するステップであって、前記ダイナミック・シャッフル再生リストは、前記ディジタル・プログラムのうちの特定のものに到達するために使用されるナビゲーション・パス内に含まれる全てのディジタル・プログラムを含むリストから選択されたディジタル・プログラムを含む、前記作成するステップと、
前記ディジタル・プログラムのうちの特定のものを再生した後に前記ダイナミック・シャッフル再生リスト内の前記ディジタル・プログラムを再生するステップと、
を含む、前記方法。
【請求項２】
前記ディジタル・プログラムがオーディオ・プログラムからなり、前記整理パラメータが全ての曲、アーティスト、アルバム、ジャンル、および年のうちの１つを含む、請求項１に記載の方法。
【請求項３】
前記オーディオ・プログラムがＭＰ３オーディオ・プログラムからなる、請求項２に記載の方法。
【請求項４】
前記全ての曲のパラメータの選択に応答してオーディオ・プログラムの前記リストを単一レベルにグループ化するステップをさらに含み、当該グループ化ステップが、整理パラメータ内でオーディオ・プログラムの前記リストを単一レベルに減少させるステップを含む、請求項２に記載の方法。
【請求項５】
前記ダイナミック・シャッフル再生リストを作成するステップが、前記全ての曲整理パラメータの選択の後に実行される、請求項１に記載の方法。
【請求項６】
次のディジタル・プログラムへのユーザーのナビゲーションに応答して次のディジタル・プログラムのナビゲーション・パスを再計算するステップと、
ナビゲーション・パスの再計算に応答してダイナミック・シャッフル再生リストを再作成するステップであって、前記再作成されたダイナミック・シャッフル再生リストが、前記再計算されたナビゲーション・パスに含まれるディジタル・プログラムを含む、前記再作成するステップと、
を含む、請求項１に記載の方法。
【請求項７】
ディジタル装置であって、
前記ディジタル装置に関連付けられた複数のディジタル・プログラムを記憶する記憶装置であって、各ディジタル・プログラムは、それぞれの複数の整理パラメータに関連付けられ、前記複数のディジタル・プログラムは、前記整理パラメータに基づいて階層型グループにグループ化されている、前記記憶装置と、
ユーザーが前記複数の記憶されたディジタル・プログラムから特定のディジタル・プログラムをナビゲート、選択、および再生できるようにする入力手段と、
ダイナミック・シャッフル・モードのユーザー選択に応答してダイナミック・シャッフル再生リストを作成するための制御手段であって、前記ダイナミック・シャッフル再生リストは、前記特定のディジタル・プログラムに到達するために使用されるナビゲーション・パス内に含まれる全てのディジタル・プログラムを含むリストから選択されたディジタル・プログラムを含む、前記制御手段と、
前記特定のディジタル・プログラムを再生した後に前記ダイナミック・シャッフル再生リスト内の前記ディジタル・プログラムを再生する処理手段と、
を含む、前記ディジタル装置。
【請求項８】
前記記憶装置が、全ての曲、アーティスト、アルバム、ジャンル、および年のうちの１つを含む前記整理パラメータと共にオーディオ・プログラムからなる複数のディジタル・プログラムを記憶する、請求項７に記載のディジタル装置。
【請求項９】
前記オーディオ・プログラムがＭＰ３オーディオ・プログラムからなる、請求項８に記載のディジタル装置。
【請求項１０】
前記制御手段が前記全ての曲のパラメータの選択に応答してオーディオ・プログラムの前記リストを単一レベルにグループ化し、当該グループ化が、整理パラメータ内でオーディオ・プログラムの前記リストを単一レベルに減少させることを含む、請求項８に記載のディジタル装置。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
デジタルデータを再生するための装置であって、当該装置は、前記デジタルデータが第１のフォーマットでアクセスされる第１のモードでオペラブルであり、当該装置は、前記デジタルデータが少なくとも第２のフォーマットでアクセスされる少なくとも第２のモードでオペラブルであり、前記第１のモード又は前記少なくとも第２のモードが選択可能であり、選択された前記モードの障害が検出された場合、オペラブルなモードへの切換えがなされ得ることを特徴とするデジタルデータを再生する装置。
【請求項２】
選択されたモードのオペラビリティが監視され、オペラブルなモードへの切換えが、前記選択されたモードの障害が検出された場合自動的になされることを特徴とする請求項１に記載の装置。  
【請求項３】
前記モードのうちの少なくとも１つのモードは、プログラマブルアプリケーションをサポートすることを特徴とする請求項１に記載の装置。
【請求項４】
前記モードのうちの少なくとも１つのモードは、ノンプログラマブルアプリケーションをサポートすることを特徴とする請求項１に記載の装置。
【請求項５】
前記デジタルデータは内的及び／又は外的にアクセス可能であることを特徴とする請求項１に記載の装置。
【請求項６】
第１のセッションにおいて、選択されたモードのオペラビリティが監視され、前記選択されたモードにおいて障害が検出された場合、障害特性がメモリに格納され、前記障害特性は、第２のセッションにおいて前記デジタルデータの再生に関して照会されることを特徴とする請求項１に記載の装置。
【請求項７】
前記第２のセッションにおける前記デジタルデータの再生が、障害が検出されたフォーマットの前記デジタルデータを他のフォーマットの対応しているデジタルデータと自動的に置き換えるように、前記障害特性は自動的に考慮されることを特徴とする請求項６に記載の装置。
【請求項８】
デジタルデータを再生するためのシステムであって、当該システムは、
デジタルデータを読み出すための読み出しセクションと、
前記デジタルデータを出力するための出力セクションと、
前記読み出しセクション及び前記出力セクションを制御するための制御セクションと、
を有し、前記制御セクションは、前記デジタルデータが第１のフォーマットである第１のモード及び前記デジタルデータが少なくとも第２のフォーマットである少なくとも第２のモードをサポートするようにオペラブルであり、前記制御セクションは、選択されたモードにおける前記デジタルデータの再生のオペラビリティを監視し、障害が前記選択されたモードにおいて検出された場合、オペラブルなモードへの切換えがなされ得ることを特徴とするシステム。
【請求項９】
デジタルデータを再生するための方法であって、前記デジタルデータは、前記デジタルデータが第１のフォーマットである第１のモード及び前記デジタルデータが少なくとも第２のフォーマットである少なくとも第２のモードで再生可能であり、前記デジタルデータの再生は、選択されたモードにおける前記デジタルデータでなされ、選択されたモードにおける前記デジタルデータの再生のオペラビリティが監視され、障害が前記選択されたモードにおいて検出された場合、オペラブルなモードへの切換えがなされ得ることを特徴とする方法。
【請求項１０】
デジタルデータを再生するためのコンピュータ可読コードであって、前記デジタルデータは、前記デジタルデータが第１のフォーマットである第１のモード及び前記デジタルデータが少なくとも第２のフォーマットである少なくとも第２のモードで再生可能であり、前記デジタルデータの再生は、選択されたモードにおける前記デジタルデータでなされ、選択されたモードにおける前記デジタルデータの再生のオペラビリティが監視され、障害が前記選択されたモードにおいて検出された場合、オペラブルなモードへの切換えがなされ得ることを特徴とするコンピュータ可読コード。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
ホームオートメーション電気器具（２a−２ｅ）を備えるシステム（１）を制御する制御インターフェース（３）の操作方法であって、
前記制御インターフェースは入力手段(８、９）と情報画面（４）とを備え、
前記情報画面は、各々がシンボルを表示できるセル（６a、６ｂ）にサブ分割されたメインエリア（５）を備え、
少なくとも複数個の所謂「割当てられた」セルは複数の電気器具または複数の電気器具の複数のグループに関連付けられ、および／または電気器具制御命令に関連付けられ、所謂「割当てられていない」セルは関係付けられず、
前記操作方法は、
・制御される一つの電気器具または複数の電気器具のグループに関連付けられる所謂「割当てられた」セル上に画面上のカーソル（７）を位置付けるよう該カーソルを移動するセルを選択するステップを有する前記システムのホームオートメーション電気器具の制御を目的とした使用のモードと、
・複数のセルと複数の電気器具または複数の電気器具の複数のグループとの間の関連付け、および／または複数の電気器具制御命令に関連付けを格納する構成モードと、
を備える、
ことを特徴とする操作方法。
【請求項２】
前記カーソルの移動が前記制御インターフェースの入力手段の動作により制御される、
請求項１に記載の操作方法。
【請求項３】
セルを選択するステップがまた前記制御インターフェースの入力手段の動作を備えた妥当性確認段階を備える、
請求項１または２に記載の操作方法。
【請求項４】
前記構成モードが、
・「割当てられない」セルを選択するステップと、
・一つの電気器具または複数の電気器具のグループおよび／または一つまたは複数の制御命令を選択するステップと、
・先に選択したセルを一つの電気器具または複数の電気器具のグループおよび／または先に選択した前記一つまたは複数の制御命令に関連付ける妥当性確認ステップと、
を少なくとも提供する、請求項１乃至３の何れか１項に記載の操作方法。
【請求項５】
前記画面のメインエリア内で、複数の電気器具または複数の電気器具の複数グループおよび／または電気器具の複数の制御命令に関連付けられる複数のセルを空間的に編成するためのカスタマイズモードを備える、
請求項１乃至４の何れか１項に記載の操作方法。
【請求項６】
前記カスタマイズモードにおいて、
・割当てられた第１のセルを選択するステップと、
・前記電気器具または前記複数の電気器具のグループおよび／または前記制御命令または前記第１のセルに先に関連付けられた制御命令に第２のセルが関連付けられるよう第２のセルを選択するステップと、
を少なくとも提供する、請求項１乃至５の何れか１項に記載の操作方法。
【請求項７】
前記カスタマイズモードにおいて、
前記第２のセルを選択するステップが、
・前記第１のセルと、
・前記一つの電気器具または前記複数の電気器具のグループおよび／または一つまたは複数の前記制御命令と、
の間の関連付けを解除する、
請求項１乃至６の何れか１項に記載の操作方法。
【請求項８】
ユーザモードにおいて、
送られた制御命令の種類と宛先が、前記一つまたは複数のセルの選択によりおよび／または入力手段の動作により、少なくとも部分的に決定される、
請求項１乃至７の何れか１項に記載の操作方法。
【請求項９】
ユーザモードにおいて、
２つの割当てられたセル、送信される制御命令の種類を決定する第１のセル、および送信される制御命令の宛先を決定する第２のセルを選択するステップを備える、
請求項１乃至８の何れか１項に記載の操作方法。
【請求項１０】
所定の時刻に複数の電気器具への複数の制御命令の自動的送信をプログラムするためのスケジュールプログラムモードを備え、該スケジュールプログラムモードにおいて、
・少なくとも一つの制御命令と少なくとも一つの電気器具とに関連付けられた第１のセルを選択するステップと、
・日付の一時的連続に対応する空間的連続セルの部分を形成する第２のセルを選択するステップであって、該第２のセルを複数の電気器具と前記第１のセルに関係付けられた複数の制御命令とに関連付けるよう第２のセルを選択するステップと、を備える、
請求項１乃至９の何れか１項に記載の操作方法。
【請求項１１】
ホームオートメーション電気器具（２a−２ｅ）および入力手段（８、９）と情報画面（４）とを有する制御インターフェース（３）を備えるシステム（１）を制御する制御インターフェースであって、
前記情報画面は、各々がシンボルを表示できるセル（６a、６ｂ）にサブ分割されたメインエリア（５）を備え、
前記セルは、複数の電気器具または複数の電気器具の複数のグループに関連付けられ、および／または複数の電気器具制御命令に関連付けられ、
前記インターフェースはまた、請求項１乃至１０の何れか１項に記載の操作方法を実行するためのハードウェア手段（１４、１５）とソフトウェア手段とを備える、
ことを特徴とする制御インターフェース。
【請求項１２】
前記画面は、一連の英数字を表示する少なくとも一つの補助エリア（１０、１１）を備える、
請求項１１に記載の制御インターフェース。
【請求項１３】
少なくともスケジュールプログラムモードにおいて、少なくとも一つの空間的連続セルが日付の一時的連続に対応する、
請求項１１または１２に記載の制御インターフェース。
【請求項１４】
前記入力手段が、入力キーである、
請求項１１乃至１３の何れか１項に記載の制御インターフェース。
【請求項１５】
請求項１１乃至１４の何れか１項に記載の制御インターフェース（３）とホームオートメーション電気器具（２ａ−２ｅ）とを備えた装置（１）。
【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
印刷システム（１）においてドキュメント処理指令を生成する方法であって、
該ドキュメント処理指令に対する制御パラメータを異なるソースから読み出して、該ソースに優先度を割り当てる方法において、
該制御パラメータを制御ファイルに記憶し、
所定の制御パラメータが複数のソースに存在する場合には、最高の優先度を有するソースからの制御パラメータを該制御ファイルに記憶し、
該制御ファイルにパラメータを記憶する際に、該パラメータの送信元であるソースの所属の優先度を該パラメータと一緒に、該制御ファイルに記憶し、 該制御ファイルにパラメータを記憶する際に、該パラメータの送信元であるソースの所属の優先度を該パラメータと一緒に、該制御ファイルに記憶し、
該印刷システム（１）において、所定の印刷指令に対する異なるソースに由来する制御パラメータの情報を混合する
ことを特徴とする方法。
【請求項２】
前記ソースは、設定ジョブチケット、指令固有のジョブチケット、印刷データ内のパラメータ、およびパラメータ化されたファイル名を含む、請求項１記載の方法。
【請求項３】
前記ソースの優先度を１つまたは複数の優先度リストで定義し、
前記パラメータを前記制御ファイルに書き込む際に、該優先度リストに基づいて各ソースの優先度を決定する、請求項１または２記載の方法。
【請求項４】
前記優先度を決定するために、書き込むべきパラメータの種類に依存して、前記優先度リストのうち１つを選択する、請求項３記載の方法。
【請求項５】
前記優先度を決定するために、前記パラメータの各ソースを得るために使用された入力に依存して、前記優先度リストのうち１つを選択する、請求項３または４記載の方法。
【請求項６】
印刷システム（１）において、請求項１から５までのいずれか１項記載の方法にしたがって印刷ジョブを区分する方法において、
所定の登録簿を検査して、新規の印刷ジョブに所属するファイルが生成されたか否かを繰り返し検査し、
各新規の印刷ジョブにジョブ識別番号を割り当て、
ファイルが所定の登録簿グループに記憶されている印刷ジョブに対し、該ジョブ識別番号をそのつど時系列で生成し、
複数の印刷ジョブを該ジョブ識別番号にしたがって区分する
ことを特徴とする方法。
【請求項７】
該方法を実施するための制御プログラム（９）の開始時に、各登録簿グループに対してエンティティ（２０）を生成し、各登録簿グループの登録簿に割り当て、
該エンティティは、各登録簿グループに対してジョブ識別番号を生成し、該登録簿内の印刷ジョブに割り当てる、請求項６記載の方法。
【請求項８】
請求項１から７までのいずれか１項記載の方法にしたがって、クライアントから、印刷サーバ（４）を備えた印刷システム（１）へ印刷ジョブを伝送する方法であって、
該クライアントはパーソナルコンピュータであり、
該パーソナルコンピュータ上にはオペレーティングシステムがインストールされており、
該オペレーティングシステムは、たとえばマイクロソフトエクスプローラ（Ｒ）等であるファイル表示用のプログラムを有し、
該プログラムには、たとえば記憶媒体、ネットワーク接続部等である所定の受信側へ直接伝送するための機能（「送信先」）が設けられている形式の方法において、
ファイルを直接伝送するための前記機能を使用して、印刷指令を該印刷システム（１）の印刷機（５ａ，５ｂ）ないしは印刷サーバ（４）へ伝送し、
該クライアントにおいて、印刷ジョブの伝送時に制御ファイルを自動的に作成し、該制御ファイルに、各印刷ジョブを印刷するための制御パラメータを記述することを特徴とする方法。
【請求項９】
個々の印刷ジョブに対してトリガファイルを生成し、該印刷ジョブとともに前記印刷サーバ（４）へ伝送する、請求項８記載の方法。
【請求項１０】
請求項１から９までのいずれか１項記載の方法にしたがって、クライアントから、印刷サーバ（４）を備えた高性能印刷システム（１）へ印刷ジョブを伝送する方法において、
該クライアントにおいて、複数の印刷チャネルが記述された制御ウィンドウを表示し、
個々の印刷ジョブを個々の印刷チャネルに直接割り当て、自動的に伝送することを特徴とする方法。
【請求項１１】
前記印刷ジョブと個々の印刷チャネルとの対応付けを、ドラッグアンドドロップ機能によって行う、請求項１０記載の方法。
【請求項１２】
印刷サーバ（４）と、第１のネットワーク（３）と、第２のネットワーク（６）とを備えた印刷システムであって、
該第１のネットワーク（３）を介して、印刷ジョブがクライアントから該印刷サーバ（４）へ伝送され、
該第２のネットワーク（６）を介して、該印刷サーバ（６）は複数の印刷機（５ａ，５ｂ）に接続されており、
該印刷サーバ（４）内に、該印刷ジョブが記憶される記憶領域が設けられ、
請求項１から１１までのいずれか１項記載の方法を実施する制御プログラム（９，１３）によって該印刷ジョブから、ドキュメント処理指令が生成される
ように構成されていることを特徴とする、印刷システム。
【手続補正書】
【提出日】平成21年2月19日(2009.2.19)
【手続補正１】
【補正対象書類名】明細書
【補正対象項目名】００３３
【補正方法】変更
【補正の内容】
【００３３】
【図１】本発明の実施形態による方法の略示図である。
【図２】地域の合成空中熱画像である。
【図３】図２の空中熱画像の部分拡大図である。
【図４】空中熱画像の温度差を示すよう処理が施された画像である。
【図５】地域内に位置する建物の地上熱画像である。
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
表面プラズモン共鳴を有する光学フィルムであって、熱可塑性フィルム基材とその上の物理気相堆積によるメタリックナノ粒子の不連続コーティングとを含み、該光学フィルムの吸収ピーク極大が、延伸時に短波長側にまたは収縮時に長波長側に少なくとも１０ｎｍシフトする、光学フィルム。
【請求項２】
前記熱可塑性フィルムが延伸されている、請求項１に記載の光学フィルム。
【請求項３】
前記延伸熱可塑性フィルム基材が一軸延伸されている、請求項２に記載の光学フィルム。
【請求項４】
前記延伸熱可塑性フィルム基材が二軸延伸されている、請求項２に記載の光学フィルム。
【請求項５】
前記ナノ粒子が、１．５：１を超えるアスペクト比を有する、請求項１に記載の光学フィルム。
【請求項６】
生物学的、生化学的、化学的、または環境的サンプルの試験に使用するためのセンサーであって、請求項１〜４のいずれかに記載の物品と、前記メタリックナノ粒子層の少なくとも一部分上に配置された結合剤と、を含み、該結合剤が、該生物学的、生化学的、化学的、または環境的サンプル中に存在する所定の物質と相互作用する、センサー。
【請求項７】
前記メタリックナノ粒子の少なくとも一部分上に配置された官能化材料層と、該官能化材料層の上に配置された結合剤とをさらに含み、前記官能化材料が有機シランまたは有機チオールである、請求項６に記載のセンサー。
【請求項８】
前記ナノ粒子が、露出され、前記熱可塑性フィルムの表面に部分的に固定されてなる、請求項１〜４のいずれかに記載の光学フィルム。
【請求項９】
前記ナノ粒子の体積の５０％超が、前記熱可塑性フィルム基材の表面よりも上にある、請求項８に記載の光学フィルム。
【請求項１０】
前記熱可塑性ポリマーフィルムが１重量％未満の微粒子添加剤を含有する、請求項１〜４のいずれかに記載の光学フィルム。
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
スクリーン印刷電気化学的バイオセンサに使用されるための：
（a)  生物学的サンプル中のグルコース酸化のためのグルコースデヒドロゲナーゼ（GDH）および補助因子ピロロキノリンキノン（PQQ）；
（b)  セルロース誘導体、天然ガム、天然ゲルおよび水溶性合成ポリマーからなる群から選択される親水性ポリマー；
（c)  アモルファス無処理シリカ粉末、タルク、マイカ、珪藻土、天然クレイおよび修飾クレイからなる群から選択される増粘剤；
（d)  pHの範囲を約4.5から約6.5または6.0に維持するのに十分な緩衝液；
（e)  界面活性物質；および
（f)  メディエータ
を含む試薬組成物。
【請求項２】
前記緩衝液が酢酸緩衝液、クエン酸緩衝液またはコハク酸緩衝液である、請求項1の試薬組成物。
【請求項３】
前記緩衝液のpHが5.0から6.0である、請求項1の試薬組成物。
【請求項４】
前記親水性ポリマーが、カルボキシメチルセルロースナトリウム、ヒドロキシエチルセルロース、ヒドロキシプロピルセルロースおよびヒドロキシプロピルメチルセルロースからなる群から選択されるセルロース誘導体である、請求項1の試薬組成物。
【請求項５】
前記増粘剤がアモルファス無処理シリカ粉末である、請求項1の試薬組成物。
【請求項６】
（a)  非多孔性基板；
（b)  前記基板上に配置された作用電極および対電極；
（c)  前記電極上にスクリーン印刷される、前記試薬組成物は：
（1)  前記組成物の全重量のそれぞれ1ミリグラムにつき、生物サンプル中のグルコース酸化のための約1-8ユニットのグルコースデヒドロゲナーゼ（GDH）および補助因子ピロロキノリンキノン（PQQ）；
（2)  天然ガム、天然ゲルおよび水溶性合成ポリマーからなる群から選択される親水性ポリマー；
（3)  アモルファス無処理シリカ粉末、タルク、マイカ、珪藻土、天然クレイおよび修飾クレイからなる群から選択される増粘剤；
（4)  pHの範囲を約4.5から約6.5に維持するのに十分な緩衝液；
（5)  界面活性物質および
（6)  メディエータ；および
を含む、前記組成物の試薬組成物；
（d）  前記電極および前記試薬組成物のための保護カバー
を含む電気化学バイオセンサ。
【請求項７】
前記緩衝液が約30から約200 mMの、酢酸緩衝液、クエン酸緩衝液、またはコハク酸緩衝液である、請求項6の電気化学的バイオセンサ。
【請求項８】
前記界面活性物質が、前記組成物の全重量に基づき、約0.5 ％までのアルキルアリールポリエーテルアルコールである、請求項6の電気化学的バイオセンサ。
【請求項９】
試薬組成物をスクリーン印刷することを含む、電気化学的バイオセンサに用いられるスクリーン印刷された試薬組成物中のグルコースデヒドロゲナーゼ（GDH）と補助因子ピロロキノリンキノン（PQQ）の活性を維持するための方法であって：
（a）  生物サンプル中のグルコース酸化のためのグルコースデヒドロゲナーゼ（GDH）および補助因子ピロロキノリンキノン（PQQ）；
（b）  セルロース誘導体天然ガム、天然ゲルおよび水溶性合成ポリマーからなる群から選択される親水性ポリマー；
（c）  アモルファス無処理シリカ粉末、タルク、マイカ、珪藻土、天然クレイおよび修飾クレイからなる群から選択される増粘剤；
（d）  pHを約4.5から約6.5の範囲に維持するのに十分な緩衝液；
（e）  界面活性物質；および
（f）  メディエータ；
の作用を含む、前記方法。